(57)【要約】【課題】レジューム機能を有した光ディスク再生装置において、レジューム情報をＨＤＤ（ハードディスクドライブ）に記録し、レジューム機能を強化する。【解決手段】ＤＶＤ（デジタルビデオディスク）プレイヤは、レジューム情報を保存するためのＨＤＤを備えている。ＤＶＤプレイヤ１は、映像の再生を停止する都度（＃５でＹＥＳ）、ディスク情報毎に、再生停止位置であるレジュームポイント、再生停止日時、再生停止時の静止画をレジューム情報としてＨＤＤに書込む（＃６、＃７、＃８）。そして、レジューム機能を実行時に（＃１でＹＥＳ）、ＨＤＤから該当するＤＶＤのレジューム情報を読出し、そのＤＶＤの再生停止時の静止画と再生停止日時を一覧表示する（＃１２）。一覧表示される静止画を基にユーザによりレジュームポイントが選択され（＃１３でＹＥＳ）、選択されたレジュームポイントから映像の再生を開始する（＃１４）。【選択図】      図３
2004206784.tif 000002
【特許請求の範囲】
【請求項１】
光ディスクに記録されている映像データを読取る読取手段と、前記読取手段で読取った映像データを基に、本装置に接続されるディスプレイにて映像を再生するための映像信号を生成する映像信号生成手段と、前記読取手段による映像データの読取り及び前記映像信号生成手段による映像信号の生成を制御することによりディスプレイでの映像の再生を制御する再生制御手段と、映像の再生を停止した再生停止位置をレジュームポイントとし、前記再生制御手段にて前記レジュームポイントから映像の再生を開始させるレジューム機能を実行するレジューム手段とを備えたレジューム機能を有した光ディスク再生装置において、
前記レジューム機能の実行に必要な前記レジュームポイントを含むレジューム情報を保存するためのハードディスクを備え、
前記制御手段は、映像の再生を停止した都度、そのときの静止画をキャプチャし、前記光ディスクを固有に識別するための前記光ディスクに記録されているディスク情報毎に、レジュームポイント、再生停止日時情報、及び前記静止画情報をレジューム情報として前記ハードディスクに記録し、
前記レジューム手段は、
レジューム機能を実行しようとする光ディスクのディスク情報を基に、当該光ディスクのレジューム情報を前記ハードディスクから読出し、
前記読出したレジューム情報を基に、所定回数分の前記映像の再生を停止したときの静止画及び再生停止日時をディスプレイに一覧表示し、
前記一覧表示される静止画を基にレジュームポイントを選択できるようにしたことを特徴とするレジューム機能を有した光ディスク再生装置。
【請求項２】
光ディスクに記録されている映像データを読取る読取手段と、前記読取手段で読取った映像データを基に、本装置に接続されるディスプレイにて映像を再生するための映像信号を生成する映像信号生成手段と、前記読取手段による映像データの読取り及び前記映像信号生成手段による映像信号の生成を制御することによりディスプレイでの映像の再生を制御する再生制御手段と、映像の再生を停止した再生停止位置をレジュームポイントとし、前記再生制御手段にて前記レジュームポイントから映像の再生を開始させるレジューム機能を実行するレジューム手段とを備えたレジューム機能を有した光ディスク再生装置において、
前記レジューム機能の実行に必要な前記レジュームポイントを含むレジューム情報を保存するためのハードディスクを備え、
前記制御手段は、前記映像の再生を停止した都度、そのときの静止画をキャプチャし、その静止画情報及びレジュームポイントをレジューム情報として前記ハードディスクに記録し、
前記レジューム手段は、前記ハードディスクに記録されているレジューム情報を基に所定回数分の前記映像の再生を停止したときの静止画をディスプレイに一覧表示し、この一覧表示される静止画を基にレジュームポイントを選択できるようにしたことを特徴とするレジューム機能を有した光ディスク再生装置。
【請求項３】
前記制御手段は、前記光ディスクを固有に識別するための前記光ディスクに記録されているディスク情報毎に、前記静止画情報及びレジュームポイントをレジューム情報として前記ハードディスクに記録し、
前記レジューム手段は、レジューム機能を実行しようとする光ディスクのディスク情報を基に当該光ディスクのレジューム情報を前記ハードディスクから読出し、その読出したレジューム情報を基に所定回数分の前記映像の再生を停止したときの静止画をディスプレイに一覧表示することを特徴とする請求項２に記載のレジューム機能を有した光ディスク再生装置。
【発明の詳細な説明】
【０００１】
【発明の属する技術分野】
本発明は、光ディスクから映像を再生する光ディスク再生装置において、映像の再生を停止した後、その再生停止位置から映像を再生することができるレジューム機能を有した光ディスク再生装置に関する。
【０００２】
【従来の技術】
従来から、光ディスク再生装置は、光ディスクから映像データを読取って映像信号を生成し、その映像信号をディスプレイに出力することで、光ディスクに記録されている映像データによる映像をディスプレイ上に再生するようになっている。この種の光ディスクは、映像の再生を停止した後、その再生停止位置から映像の再生を行うことができるレジューム機能を有するものがある。
【０００３】
このようなレジューム機能を有する光ディスク再生装置は、光ディスクから読取ったデータのアドレス情報を随時バックアップ用のメモリに書き込んでゆき、再生動作の再開時に、バックアップ用のメモリに書き込まれているアドレス情報に対応するディスク位置から記録データの読取り動作を行うことでレジューム機能を実現するものが知られている（例えば、特許文献１及び特許文献２参照）。この光ディスク再生装置では、光ディスクを交換して別の光ディスクを再生すると、バックアップ用メモリには別の光ディスクのアドレス情報が書き込まれるため、光ディスクを一旦交換した場合には、交換前の光ディスクに対してはレジューム機能を利用することができなくなってしまう。
【０００４】
また、再生停止時に再生停止位置を示すアドレス情報をディスクＩＤ毎に対応させて不揮発性メモリに記録しておき、光ディスクをセットして再生を行うとき、ディスクＩＤを判別して、そのディスクＩＤに対応して不揮発性メモリに記憶されているアドレス情報の示す位置から再生動作を行うことでレジューム機能を実現する光ディスク再生装置が知られている（例えば、特許文献３参照）。この装置では、再生停止位置を示すアドレス情報をディスクＩＤ毎に対応させて不揮発性メモリに記録しているため、光ディスクを交換した場合であってもレジューム機能が利用できるようになっている。
【０００５】
また、再生動作の停止時に再生停止位置を示すアドレス情報を光ディスクの特定記録領域に記録し、再生動作の開始時に、光ディスクの特定記録領域から再生停止位置を示すアドレス情報を読出して、そのアドレス情報の示す位置から再生動作を行うことでレジューム機能を実現する光ディスク再生装置が知られている（例えば、特許文献４参照）。この装置では、再生停止位置を示すアドレス情報を光ディスクの特定記録領域に記録するため、光ディスクを交換した場合であってもレジューム機能が利用できるようになっている。
【０００６】
【特許文献１】
特開２００２−１４０８５８号公報
【特許文献２】
特開平４−３４９２７０号公報
【特許文献３】
特開２００１−３１２８５１号公報
【特許文献４】
特開平１０−９７７６６号公報
【０００７】
【発明が解決しようとする課題】
ところが、上述した従来のレジューム機能を有する光ディスク再生装置においては、レジューム機能による再生開始位置は、直前の再生停止位置からのみであり、前々回の再生停止位置やさらにそれ以前の再生停止位置等、過去複数の再生停止位置から再生を行えるようにはなっていなかった。また、過去複数回の再生停止位置からの再生開始を可能とする場合には、それら過去複数回の再生停止位置における映像や再生停止日時を表示して、その表示を基にユーザに再生開始位置を選択させる等、レジューム機能を強化することが考えられる。しかしながら、従来のレジューム機能を有する光ディスク再生装置においては、バックアップメモリや不揮発性メモリ、あるいは光ディスクの特定記録領域に再生停止位置を示すアドレス情報（レジューム機能の実行に必要なレジューム情報）を記録しており、これらバックアップメモリや不揮発性メモリ、あるいは光ディスクの特定記録領域には、それほど多くの情報を溜め込むことができなかった。すなわち、これら従来のレジューム機能を有する光ディスク再生装置では、上記のようにレジューム機能を強化することが困難であった。
【０００８】
本発明は、上記課題を解決するためになされたものであり、ＨＤＤ（ハードディスクドライブ）を利用し、レジューム機能の実行に必要なレジューム情報をＨＤＤに記録することによりレジューム機能を強化したレジューム機能を有した光ディスク再生装置を提供することを目的とする。
【０００９】
【課題を解決するための手段】
上記目的を達成するために請求項１の発明は、光ディスクに記録されている映像データを読取る読取手段と、読取手段で読取った映像データを基に、本装置に接続されるディスプレイにて映像を再生するための映像信号を生成する映像信号生成手段と、読取手段による映像データの読取り及び映像信号生成手段による映像信号の生成を制御することによりディスプレイでの映像の再生を制御する再生制御手段と、映像の再生を停止した再生停止位置をレジュームポイントとし、再生制御手段にてレジュームポイントから映像の再生を開始させるレジューム機能を実行するレジューム手段とを備えたレジューム機能を有した光ディスク再生装置において、レジューム機能の実行に必要なレジュームポイントを含むレジューム情報を保存するためのハードディスクを備え、制御手段は、映像の再生を停止した都度、そのときの静止画をキャプチャし、光ディスクを固有に識別するための光ディスクに記録されているディスク情報毎に、レジュームポイント、再生停止日時情報、及び静止画情報をレジューム情報としてハードディスクに記録し、レジューム手段は、レジューム機能を実行しようとする光ディスクのディスク情報を基に、当該光ディスクのレジューム情報をハードディスクから読出し、読出したレジューム情報を基に、所定回数分の映像の再生を停止したときの静止画及び再生停止日時をディスプレイに一覧表示し、一覧表示される静止画を基にレジュームポイントを選択できるようにしたものである。
【００１０】
この構成においては、光ディスクから映像の再生を停止する都度、その光ディスク毎に、再生停止位置であるレジュームポイント、再生停止日時情報、及び再生停止時の静止画情報がレジューム情報としてハードディスクに記録される。そして、レジューム機能を利用するとき、ハードディスクに記録されているレジューム情報を基に該当する光ディスクの所定数のレジュームポイントの静止画及び再生停止日時がディスプレイに一覧表示され、それら所定数のレジュームポイントの何れかが選択可能とされる。ユーザにより何れかのレジュームポイントが選択されると、選択されたレジュームポイントから映像の再生が開始される。これにより、同じ光ディスクで複数回の再生停止を行った場合には、それら複数回の再生停止位置がレジュームポイントとされ、レジューム機能を利用することにより、それら複数回のレジュームポイントの何れかのポイントから映像の再生を開始することができる。また、所定数のレジュームポイントの静止画及び再生停止日時が一覧表示されるため、それら静止画及び再生停止日時を参照することにより、目的のレジュームポイントを容易に探し出して選択することができる。さらに、光ディスク毎にレジューム情報が記録されるため、任意の光ディスクに対して同様のレジューム機能が利用でき、また、一旦光ディスクを交換した場合でも交換前の光ディスクに対してレジューム機能を利用できる。
【００１１】
請求項２の発明は、光ディスクに記録されている映像データを読取る読取手段と、読取手段で読取った映像データを基に、本装置に接続されるディスプレイにて映像を再生するための映像信号を生成する映像信号生成手段と、読取手段による映像データの読取り及び映像信号生成手段による映像信号の生成を制御することによりディスプレイでの映像の再生を制御する再生制御手段と、映像の再生を停止した再生停止位置をレジュームポイントとし、再生制御手段にてレジュームポイントから映像の再生を開始させるレジューム機能を実行するレジューム手段とを備えたレジューム機能を有した光ディスク再生装置において、レジューム機能の実行に必要なレジュームポイントを含むレジューム情報を保存するためのハードディスクを備え、制御手段は、映像の再生を停止した都度、そのときの静止画をキャプチャし、その静止画情報及びレジュームポイントをレジューム情報としてハードディスクに記録し、レジューム手段は、ハードディスクに記録されているレジューム情報を基に所定回数分の映像の再生を停止したときの静止画をディスプレイに一覧表示し、この一覧表示される静止画を基にレジュームポイントを選択できるようにしたものである。
【００１２】
この構成においては、映像の再生を停止する都度、再生停止時の静止画情報及びレジュームポイントがレジューム情報としてハードディスクに記録される。そして、レジューム機能を利用するとき、所定数のレジュームポイントの静止画がディスプレイに一覧表示され、ユーザの選択したレジュームポイントから映像の再生が開始される。これにより、複数回の再生停止位置がレジュームポイントとされ、それら複数回のレジュームポイントの何れかのポイントから映像の再生を開始することができる。また、所定数のレジュームポイントの静止画及び再生停止日時が一覧表示されるため、それら静止画及び再生停止日時を参照することにより、目的のレジュームポイントを容易に探し出して選択することができる。
【００１３】
請求項３の発明は、請求項２に記載のレジューム機能を有した光ディスク再生装置において、制御手段は、光ディスクを固有に識別するための光ディスクに記録されているディスク情報毎に、静止画情報及びレジュームポイントをレジューム情報としてハードディスクに記録し、レジューム手段は、レジューム機能を実行しようとする光ディスクのディスク情報を基に当該光ディスクのレジューム情報をハードディスクから読出し、その読出したレジューム情報を基に所定回数分の映像の再生を停止したときの静止画をディスプレイに一覧表示するものである。
【００１４】
この構成においては、光ディスク毎に、静止画情報及びレジュームポイントがレジューム情報としてハードディスクに記録され、レジューム機能を利用するとき、ハードディスクに記録されているレジューム情報を基に該当する光ディスクの所定数のレジュームポイントの静止画がディスプレイに一覧表示される。これにより、任意の光ディスクに対してレジューム機能が利用でき、また、一旦光ディスクを交換した場合でも交換前の光ディスクに対してレジューム機能を利用できる。
【００１５】
【発明の実施の形態】
以下、本発明を具体化した実施形態について図面を参照して説明する。図１において、ＤＶＤプレイヤ（光ディスク再生装置）１は、ＤＶＤ（デジタルビデオディスク）４０から映像データを読取って映像信号を生成し、その映像信号をディスプレイ５０に出力することで、ＤＶＤ４０に記録されている映像データによる映像をディスプレイ５０上に再生する装置である。このＤＶＤプレイヤ１は、映像の再生を停止した後、その再生停止位置から映像の再生を開始することができるレジューム機能を有している。
【００１６】
ＤＶＤプレイヤ１は、リモコン２、リモコン受信部３、ディスク挿入検知部４、スピンドルモータ５、光ヘッド（読取手段）６、デコーダ（映像信号生成手段）７、Ｄ／Ａ変換処理部８、ＨＤＤ（ハードディスクドライブ）９、ＲＯＭ１０、及び上記各部を制御する制御部（再生制御手段、レジューム手段）１１を備えている。
【００１７】
リモコン２は、ＤＶＤ４０からの映像の再生開始／再生停止、レジューム機能の利用等、ＤＶＤプレイヤ１の各種動作を指示するためのものであり、ユーザにより操作される。リモコン２は、これら各種動作を指示するための各種操作キー（不図示）を備えており、各種操作キーを操作すると、その操作に対応する操作信号を赤外線信号で送出する。リモコン受信部３は、リモコン２から送出された赤外線信号を受信し、リモコン２の操作に対応する信号を制御部１１へ出力する。
【００１８】
ディスク挿入検知部４は、ＤＶＤ４０が不図示のディスク挿入部から挿入されたことを検出し、その検出信号を制御部１１へ入力する。挿入されたＤＶＤ４０は、スピンドルモータ５に装着される。スピンドルモータ５は、制御部１１による制御のもと回転駆動され、装着されたＤＶＤ４０を回転させる。光ヘッド６は、制御部１１による制御のもと、ＤＶＤ４０の所定記録エリアに光を照射し、その反射光を受光してＤＶＤ４０に記録されている記録データを読取り、その記録データをデコーダ７へ出力する。
【００１９】
デコーダ７は、制御部１１による制御のもと、光ヘッド６からの記録データをデコードし、記録データに含まれる映像データを基に映像信号を生成し、その映像信号をＤ／Ａ変換処理部８へ出力する。また、デコーダ７は、記録データに含まれる映像データのアドレス情報、ＤＶＤ４０を固有に識別するためのディスク情報等の制御情報を抽出し、それら制御情報を制御部１１へ出力する。Ｄ／Ａ変換処理部８は、デコーダにて生成された映像信号をアナログ変換する。Ｄ／Ａ変換処理部８にてアナログ変換された映像信号は、不図示の接続端子を介して接続されるディスプレイ５０に出力され、これにより、ディスプレイ５０にＤＶＤ４０に記録されている映像データによる映像が再生される。
【００２０】
ＨＤＤ９は、制御部１１による制御のもと、ＤＶＤ４０に記録されているディスク情報毎に、映像の再生を停止したときのアドレス情報（レジュームポイントのアドレス情報）、再生停止日時、及び映像の再生停止時にディスプレイ５０に表示していた映像情報をレジューム情報として記録し保存する。ＲＯＭ１０は、制御部１１の動作プログラムを格納している。
【００２１】
制御部１１は、リモコン２での再生開始操作を受けて、光ヘッド６によるＤＶＤ４０からの記録データの読取り位置を制御し、ＤＶＤ４０に記録されている１連の映像データの先頭位置から映像の再生を開始させる。また、制御部１１は、リモコン２での再生停止操作を受けて、映像の再生を停止させ、以下の動作を実行する。（１）再生停止操作がされた時点の再生映像の静止画をキャプチャし、その静止画情報を再生停止日時情報と共にＨＤＤ９に記録する制御を行う。（２）また、光ヘッド６によるＤＶＤ４０の記録データの読取り位置を制御し、ＤＶＤ４０のディスク情報記録エリアの記録データを読取らせてディスク情報を取得し、そのディスク情報をＨＤＤ９に記録する制御を行う。（３）また、再生停止操作がされた時点の再生映像のアドレス情報をレジュームポイントとしてＨＤＤ９に記録する制御を行う。制御部１１は、リモコン２での再生停止操作が行われる都度、これら、静止画情報、再生停止日時情報、ディスク情報、及びレジュームポイントをレジューム情報としてディスク情報毎に対応付けて、ＨＤＤ９に記録し蓄積する制御を行う。
【００２２】
また、制御部１１は、リモコン２でのレジューム機能の利用操作を受けて、レジューム機能を実行する。このレジューム機能は、以下のように実行される。まず、制御部１１は、光ヘッド６によるＤＶＤ４０の記録データの読取り位置を制御し、ＤＶＤ４０のディスク情報記録エリアの記録データを読取らせてディスク情報を取得し、そのディスク情報を基に該当するＤＶＤ４０のレジューム情報をＨＤＤ９から読出す。
【００２３】
そして、制御部１１は、読出したレジューム情報を基に、例えば、図２に示すように、レジュームポイント選択画面７０をディスプレイ５０に表示する。レジュームポイント選択画面７０には、所定回数分（過去３回分）の映像の再生を停止したとき（すなわちレジュームポイント）の静止画７１ａ、７１ｂ、７１ｃと、その再生停止日時７２ａ、７２ｂ、７２ｃを一覧表示する。また、レジュームポイント選択画面７０には、一覧表示された静止画７１ａ、７１ｂ、７１ｃの何れかを選択するための矢示画像７３ａ、７３ｂ、７３ｃも表示する。
【００２４】
次に、ユーザは、レジュームポイント選択画面７０に一覧表示される静止画７１ａ、７１ｂ、７１ｃと、その再生停止日時７２ａ、７２ｂ、７２ｃを参照し、リモコン２の操作キーを操作して、矢示画像７３ａ、７３ｂ、７３ｃの何れかを選択することにより、静止画７１ａ、７１ｂ、７１ｃの何れかを選択する。静止画７１ａ、７１ｂ、７１ｃは、過去に映像の再生を停止したときの映像であり、これら静止画７１ａ、７１ｂ、７１ｃを選択することにより、レジュームポイントを選択することになる。図示の例では、矢示画像７３ａが選択、すなわち再生停止日時７２ａの静止画７１ａ（再生停止日時が「１０／２８  １９：１２」の映像Ａ）が選択されている。
【００２５】
そして、制御部１１は、リモコン２での静止画７１ａ、７１ｂ、７１ｃの選択操作を受けて、選択された静止画７１ａ、７１ｂ、７１ｃに対応するレジュームポイントのアドレス情報を基に、光ヘッド６によるＤＶＤ４０の記録データの読取り位置を制御し、選択された静止画７１ａ、７１ｂ、７１ｃに対応するレジュームポイントから映像の再生を開始させる。このようにして、レジューム機能が実行される。
【００２６】
次に、上記構成のＤＶＤプレイヤ１の映像再生動作について、図３のフローチャートを参照して説明する。まず、ＤＶＤプレイヤ１は、ＤＶＤモードであり、リモコン２によりレジューム機能の利用操作がされたか否かを判断する（＃１）。レジューム機能の利用操作がされず（＃１でＮＯ）、リモコン２により再生開始操作がされた場合には（＃２でＹＥＳ）、ＤＶＤ４０に記録されている１連の映像データの先頭から映像の再生を開始する（＃３）。
【００２７】
その後、ＤＶＤプレイヤ１は、再生処理を行っている状態において（＃４）、リモコン２により再生停止操作がされると（＃５でＹＥＳ）、再生停止操作がされた時点の再生映像の静止画をキャプチャし、その静止画情報を再生停止日時情報と共にＨＤＤ９に書き込む（＃６）。また、ＤＶＤ４０からディスク情報を読取り、そのディスク情報をＨＤＤ９に書き込み（＃７）、レジュームポイント（再生停止操作がされた時点の再生映像のアドレス情報）をＨＤＤ９に書き込む（＃８）。そして、再生処理を終了する（＃９）。
【００２８】
また、ＤＶＤプレイヤ１は、リモコン２によりレジューム機能の利用操作がされた場合には（＃１でＹＥＳ）、まず、ＤＶＤ４０からディスク情報を読取って取得する（＃１０）。次に、ＤＶＤプレイヤ１は、ＨＤＤモードとなり、ＤＶＤ４０から読取ったディスク情報を基に、同一ディスクのレジューム情報がＨＤＤ９に記録されているか否か確認する（＃１１）。同一ディスクのレジューム情報が記録されていれば（＃１１でＹＥＳ）、そのレジューム情報を基に、レジュームポイントの静止画とその再生停止日時を一覧表示する（＃１２）。
【００２９】
そして、ＤＶＤプレイヤは、リモコン２によりレジュームポイントの選択操作がされると（＃１３でＹＥＳ）、ＤＶＤモードとなり、選択されたレジュームポイントから映像の再生を開始する（＃１４）。その後は、上記＃４からの処理を行う。なお、上記＃１１にて、同一ディスクのレジューム情報が記録されていない場合は、上記＃３の処理にてＤＶＤ４０に記録されている１連の映像データの先頭から映像の再生を開始し、以降上記＃４からの処理を行う。
【００３０】
このような構成のＤＶＤプレイヤ１によれば、映像の再生を停止する都度、ディスク情報毎に、レジュームポイントのアドレス情報、再生停止日時情報、及び再生停止時の静止画情報がレジューム情報としてＨＤＤ９に記録される。そして、レジューム機能を利用するとき、レジューム機能を利用しようとするＤＶＤ４０の所定回数分（過去３回分）の再生停止時の静止画と再生停止日時がディスプレイ５０に一覧表示され、この一覧表示される静止画と再生停止日時を基にユーザによりレジュームポイントが選択され、選択されたレジュームポイントから映像の再生が開始される。
【００３１】
なお、本発明は、上記実施形態の構成に限られず、種々の変形が可能である。例えば、上記実施形態において、ディスク挿入検知部によるＤＶＤの挿入検知に応じて、自動的にレジューム機能を実行して、レジュームポイント選択画面をディスプレイに表示するようにしてもよい。また、レジュームポイント選択画面で一覧表示する静止画は、過去３回分に限らず、過去２回分でもよく、また過去４回以上分でもよい。また、レジュームポイント選択画面に、レジュームポイントの静止画の他に映像データの先頭からの再生開始を選択する項目を表示し、その項目が選択された場合には、映像データの先頭から再生を開始するようにしてもよい。
【００３２】
【発明の効果】
以上説明したように請求項１の発明によれば、ハードディスクにレジューム情報を記録することにより、現在よりも多くのレジューム情報を蓄積することが可能となり、光ディスク再生装置のレジューム機能を現在よりも強化することができる。また、所定回数分のレジュームポイントを蓄積しておき、これら所定回数分のレジュームポイントを選択できるようにしたので、使い勝手がよく利便性の高いレジューム機能を実現できる。しかも、レジュームポイントと共に再生停止日時情報及び再生停止時の静止画情報をレジューム情報として蓄積しておき、レジューム機能の利用時に再生停止時の静止画及び再生停止日時を一覧表示するため、ユーザはその静止画と再生停止日時を参照して容易に目的のレジュームポイントを探し出すことができ、一層使い勝手がよく利便性が高い静止画付きのレジューム機能を実現できる。さらに、光ディスク毎にレジューム情報を蓄積するため、光ディスクを交換した場合でもレジューム機能を利用できる。
【００３３】
請求項２の発明によれば、ハードディスクにレジューム情報を記録することにより、現在よりも多くのレジューム情報を蓄積することが可能となり、光ディスク再生装置のレジューム機能を現在よりも強化することができる。また、所定回数分のレジュームポイントを蓄積しておき、これら所定回数分のレジュームポイントを選択できるようにしたので、使い勝手がよく利便性の高いレジューム機能を実現できる。しかも、レジュームポイントと共に再生停止時の静止画情報をレジューム情報として蓄積しておき、レジューム機能の利用時に再生停止時の静止画を一覧表示するため、ユーザはその静止画を参照して容易に目的のレジュームポイントを探し出すことができ、一層使い勝手がよく利便性が高い静止画付きのレジューム機能を実現できる。
【００３４】
請求項３の発明によれば、光ディスク毎に静止画情報及びレジュームポイントをレジューム情報として蓄積するため、光ディスクを交換した場合でもレジューム機能を利用でき、一層使い勝手がよく利便性の高い静止画付きのレジューム機能を実現できる。
【図面の簡単な説明】
【図１】本発明の一実施形態によるＤＶＤプレイヤの概略構成を示す電気的ブロック構成図。
【図２】同プレイヤのレジュームポイント選択画面の表示例を示す図。
【図３】同プレイヤの映像再生動作を示すフローチャート。
【符号の説明】
１    ＤＶＤプレイヤ（光ディスク再生装置）
６    光ヘッド（読取手段）
７    デコーダ（映像信号生成手段）
９    ＨＤＤ（ハードディスクドライブ）
１１    制御部（再生制御手段、レジューム手段）
４０    ＤＶＤ（光ディスク）
５０    ディスプレイ
【図１】
2004206784.tif 000003
【図２】
2004206784.tif 000004
【図３】
2004206784.tif 000005